(57)【要約】      （修正有）【課題】リター／土壌からの浸出水に含まれる溶存態放射性セシウムを簡便に動態モニタリングできるライシメータを用いたモニタリング装置及びその方法の提供。【解決手段】リター／土壌を浸出して来る浸出水について、除去フィルター層を通過させてこれに含まれている懸濁物質を除去した後に、セシウムを吸着する吸着物質を保持した吸着フィルター層を通過させ、所定時間後に該吸着フィルター層を検査する放射性セシウムの動態モニタリング装置である。リター／土壌の位置を保持しその下部に空間を与えるとともに浸出水を通過させる透水板と、空間の底部から浸出水を排出する排出口と、を含み、除去フィルター層及び吸着フィルター層を上下に離間させて透水板及び排出口の間に挿入されていることを特徴とする。【選択図】図２
2017173316.tif 000002
【特許請求の範囲】
【請求項１】
リター／土壌を浸出して来る浸出水について、除去フィルター層を通過させてこれに含まれている懸濁物質を除去した後に、セシウムを吸着する吸着物質を保持した吸着フィルター層を通過させ、所定時間後に該吸着フィルター層を検査する放射性セシウムの動態モニタリング装置であって、
前記リター／土壌の位置を保持しその下部に空間を与えるとともに前記浸出水を通過させる透水板と、
前記空間の底部から前記浸出水を排出する排出口と、を含み、
前記除去フィルター層及び前記吸着フィルター層を上下に離間させて前記透水板及び前記排出口の間に挿入されていることを特徴とする放射性セシウムの動態モニタリング装置。
【請求項２】
前記吸着物質はプルシアンブルー型錯体化合物であることを特徴とする請求項１記載の動態モニタリング装置。
【請求項３】
前記吸着フィルター層は前記吸着物質を担持させた不織布であることを特徴とする請求項１又は２に記載の動態モニタリング装置。
【請求項４】
前記排出口を端部に有し他端部に開口を有する管体の内部に前記透水板、前記除去フィルター層及び吸着フィルター層を互いに平行に配置してなることを特徴とする請求項１乃至３のうちの１つに記載の動態モニタリング装置。
【請求項５】
リター／土壌を浸出して来る浸出水について、除去フィルター層を通過させてこれに含まれている懸濁物質を除去した後に、セシウムを吸着する吸着物質を保持した吸着フィルター層を通過させ、所定時間後に該吸着フィルター層を検査する放射性セシウムの動態モニタリング方法であって、
前記リター／土壌の位置を保持しその下部に空間を与えるとともに前記浸出水を通過させる透水板と、
前記空間の底部から前記浸出水を排出する排出口と、を含み、
前記除去フィルター層及び前記吸着フィルター層は上下に離間させて前記透水板及び前記排出口の間に挿入され、前記浸透水が前記除去フィルター層、前記吸着フィルター層及び前記排出口の上部空間の内部に保持されながら通過することを特徴とする放射性セシウムの動態モニタリング方法。
【発明の詳細な説明】
【技術分野】
【０００１】
本発明は、放射性セシウムの動態モニタリングのための装置に関し、特に、リター／土壌からの浸出水に含まれる溶存態放射性セシウムの動態モニタリング装置及びその方法に関する。
【背景技術】
【０００２】
各種環境シミュレーションや汚染物質の長期的環境動態評価を行うためのデータの計測を行う装置としてライシメータが知られている。かかるライシメータとして、カラム中に充填した土壌に水分センサ、感圧センサや温度センサ、塩分センサなどを埋設し、また土壌重量の変化、吸水量、排水量などを測定する計測器を取り付けて土壌の経時的な変化を測定するものがある。
【０００３】
例えば、特許文献１では、ライシメータによる計測でモデル化されたごみ埋立地内の各相に対して、マスバランス式を用いて数値シミュレーションを行うための方法について開示している。ここで用いられているライシメータは、上面から所定の深さ位置まで空気注入パイプを槽内の水平方向に取り付け、底部をバラスで被覆して浸出水の流出を容易に浸出水タンクに集められるようにしたものである。また、所定の深さ位置には、温度検知装置やガスサンプリングパイプ、浸出水のサンプリングパイプを取り付けて、各種計測を行うとしている。
【０００４】
ところで、リター／土壌からの浸出水に含まれる溶存態放射性セシウム（Ｃｓ）の動態モニタリングは、学術的な観点だけでなく、住民の放射線防護の観点からも非常に重要となっている。これまで浸出水中の放射性Ｃｓの動態モニタリングは、上記したようなライシメータ法によって評価されてきた（非特許文献１、２）。つまり、土壌中に大型のリター／土壌浸出水回収装置を埋設し、回収された浸出水の放射能を測定し、溶存態放射性セシウムの動態モニタリングを行っていた。
【０００５】
また、特許文献２では、溶存態の放射性Ｃｓを特異的に吸着するプルシアンブルー型錯体化合物を担持させたＰＢ不織布を用いて水中の放射性Ｃｓを簡便にモニタリングする方法を開示している。不織布上で濃縮された放射性Ｃｓ濃度を測定するので、０.３Ｂｑ／Ｌ未満の低濃度の放射性Ｃｓであっても、測定に長い時間を要さず、大きなタンクや大量の水の運搬等を必要としないとしている。
【０００６】
上記したような放射性Ｃｓを特異的に吸着する物質としては、銅置換体、亜鉛置換体などが知られている（例えば、非特許文献３）。
【先行技術文献】
【特許文献】
【０００７】
【特許文献１】特開２０１２−６６１７１号公報
【特許文献２】特開２０１３−２４６０４９号公報
【非特許文献】
【０００８】
【非特許文献１】I.Tegen and H. Dorr, “Mobilization of cesium in organic rich soils”, Correlation with production of dissolved organic carbon. Water, Air, and Soil Pollution, 88(1996), pp.133-144
【非特許文献２】T.M. Nakanishi, N.I. Kobayashi, K. Tanoi, “Radioactive cesium deposition on rice, wheat, peach tree and soil after nuclear accident in Fukushima”, J. Radioanal. Nucl. Chem., 296, Issue 2 (2012), pp 985-989
【非特許文献３】T.Yasutaka, H.Tsuji, Y.Kondo, Y.Suzuki, A.Takahashi and T.Kawamoto, "Rapid quantification of radiocesium dissolved in water by using nonwoven fabric cartridge filters impregnated with potassium zinc ferrocyanide", Journal of Nuclear Science and Technology, 52(6) (2015), pp 792-800
【発明の概要】
【発明が解決しようとする課題】
【０００９】
過去２度の放射線災害（１９８６年チェルノブイリ、２０１１年福島）において、ライシメータ法を用いたリター／土壌浸出水の溶存態放射性Ｃｓの動態モニタリングの研究例は少ない。これはライシメータ法では、莫大な時間と労力を要すること、すなわち、環境中への装置の設置、頻繁な水サンプルの回収、放射能測定のための水サンプルの前処理（ろ過及び蒸発乾固）の必要性などが原因である。例えば、長期設置をするには巨大な水回収ボトルが必要となり、設置の労力を考えると１−３ヶ月毎に交換のために現地に赴く必要が生じる。更に、１−３ヶ月間、現地でボトル内に水が保管されると、ボトル内の懸濁物質に溶存態放射性Ｃｓが吸着してしまって検出濃度が低くなる可能性も指摘されている。
【００１０】
一方、土壌中の放射性Ｃｓの移動性を評価する他の方法としては、近傍地点での経時的な土壌サンプリング・分析による評価法も知られているが、同一地点でのサンプリングは不可能であり、適切な移動性評価をできないといったことも指摘される。更に、環境中の放射能レベルが低い場所においては、一定期間ごとに水の回収が必要であるため、水サンプル中の放射性Ｃｓが微量となり、検出限界以下となってモニタリングができないこともあった。
【００１１】
本発明は、上記したような状況に鑑みてなされたものであって、その目的とするところは、リター／土壌からの浸出水に含まれる溶存態放射性セシウムを簡便に動態モニタリングできるライシメータを用いたモニタリング装置及びその方法を提供することにある。
【課題を解決するための手段】
【００１２】
本発明による放射性セシウムの動態モニタリング装置は、リター／土壌を浸出して来る浸出水について、除去フィルター層を通過させてこれに含まれている懸濁物質を除去した後に、セシウムを吸着する吸着物質を保持した吸着フィルター層を通過させ、所定時間後に該吸着フィルター層を検査する放射性セシウムの動態モニタリング装置であって、前記リター／土壌の位置を保持しその下部に空間を与えるとともに前記浸出水を通過させる透水板と、前記空間の底部から前記浸出水を排出する排出口と、を含み、前記除去フィルター層及び前記吸着フィルター層を上下に離間させて前記透水板及び前記排出口の間に挿入されていることを特徴とする。
【００１３】
かかる発明によれば、ライシメータにおいて、設置が簡単であり、現地において固液分離が行い得て、検査のための吸着フィルター層の回収間隔をより長くできて交換回数を減じ、しかもセシウムを濃縮した状態で吸着フィルター層を回収できて検査前処理が簡便であり、且つ、清浄状態でセシウムを検出できて検出レベルも高い。つまり、ライシメータを用いてリター／土壌からの浸出水に含まれる溶存態放射性セシウムを簡便に動態モニタリングできるのである。
【００１４】
上記した発明において、前記吸着物質はプルシアンブルー型錯体化合物であることを特徴としてもよい。かかる発明によれば、浸出水中に存在する低濃度の放射性セシウムであっても精度良く検出でき、ライシメータを用いてリター／土壌からの浸出水に含まれる溶存態放射性セシウムを簡便且つ高精度に動態モニタリングできるのである。
【００１５】
上記した発明において、前記吸着フィルター層は前記吸着物質を担持させた不織布であることを特徴としてもよい。かかる発明によれば、ライシメータを用いてリター／土壌からの浸出水に含まれる溶存態放射性セシウムを簡便且つより高精度に動態モニタリングできるのである。
【００１６】
上記した発明において、前記排出口を端部に有し他端部に開口を有する管体の内部に前記透水板、前記除去フィルター層及び吸着フィルター層を互いに平行に配置してなることを特徴としてもよい。かかる発明によれば、ライシメータを用いてリター／土壌からの浸出水に含まれる溶存態放射性セシウムを簡便且つより高精度に動態モニタリングできるのである。
【００１７】
更に、本発明による放射性セシウムの動態モニタリング方法は、リター／土壌を浸出して来る浸出水について、除去フィルター層を通過させてこれに含まれている懸濁物質を除去した後に、セシウムを吸着する吸着物質を保持した吸着フィルター層を通過させ、所定時間後に該吸着フィルター層を検査する放射性セシウムの動態モニタリング方法であって、前記リター／土壌の位置を保持しその下部に空間を与えるとともに前記浸出水を通過させる透水板と、前記空間の底部から前記浸出水を排出する排出口と、を含み、前記除去フィルター層及び前記吸着フィルター層は上下に離間させて前記透水板及び前記排出口の間に挿入され、前記浸透水が前記除去フィルター層、前記吸着フィルター層及び前記排出口の上部空間の内部に保持されながら通過することを特徴とする。
【００１８】
かかる発明によれば、ライシメータを用いてリター／土壌からの浸出水に含まれる溶存態放射性セシウムを簡便且つより高精度に動態モニタリングできるのである。
【図面の簡単な説明】
【００１９】
【図１】本発明による放射性セシウムの動態モニタリング装置として用いられるカラムの側断面図である。
【図２】カラムの使用例を示す側断面図である。
【図３】野外試験における吸着フィルター層へのＣｓ吸着率の結果である。
【発明を実施するための形態】
【００２０】
本発明によるモニタリング装置の１つの実施例としてのカラムについて、図１及び図２を用いて説明する。
【００２１】
図１に示すように、カラム１０は、略円筒体の本体１を備え、その内部を第１室１１、第２室１２、第３室１３及び第４室１４の４つの空間に仕切る透水板２１、除去フィルター層２２、及び吸着フィルター層２３を上から順に備える。透水板２１、除去フィルター層２２及び吸着フィルター層２３はその主面を略水平として、互いに略平行に上下に離間するよう配置される。
【００２２】
図２を併せて参照すると、透水板２１は、その上の第１室１１に充填されたリター及び／又は土壌（以下、土壌等と称する）の位置を保持しつつ、第１室１１の土壌等から浸出してくる浸出水をその下方の空間となる第２室１２に落下させる。また、第２室１２の下部に備えられる除去フィルター層２２は、浸出水に含まれる懸濁物質を除去しつつ、懸濁物質の除去された浸出水をその下方の空間となる第３室１３に落下させる。第３室１３の下部には、吸着フィルター層２３が備えられ、第３室１３内の浸出水からセシウムを吸着して、かかる浸出水をその下方の空間となる第４室１４に落下させ、本体１の下方の開口部である排水口１５から排出させる。浸出水は排水口１５から排出されるとその下の土壌等に浸透する。
【００２３】
ここで、透水板２１の通水速度は第１室１１に充填された土壌等の透水速度以上とする。これにより、透水板２１は浸出水を速やかに第２室１２に落下させ、カラム１０の上部から水が溢れないようにする。
【００２４】
除去フィルター層２２は、上記したように懸濁物質を除去する。このとき、懸濁物質層と吸着フィルター層が接触していると、吸着フィルター層の高いセシウム回収能力のために水を介して懸濁物質の放射性Ｃｓが溶存態へと移行し得る。つまり、放射性Ｃｓ濃度を実際よりも大きく評価してしまう可能性がある。そこで、第２室１２は、除去フィルター層２２によっても浸出水で満たされずに、常に空間を有するように設計される。
【００２５】
吸着フィルター層２３は、放射性セシウムを浸出水から吸着する吸着物質を保持している。吸着物質としては、例えば、プルシアンブルー型錯体化合物を用い得る。プルシアンブルー型錯体化合物としては、例えば、特許文献２（特開２０１３−２４６０４９号公報）に記載のものを使用し得る。すなわち、ＡxＭ[Ｆｅ(ＣＮ)6]y・ｚＨ2Ｏの組成を有するものである。ここで、Ａとしては、陽イオンを形成するカリウム、リチウム、ナトリウム、ルビジウム、アンモニア又はこれらの混合体であり、Ｍとしては鉄、コバルト、ニッケル、亜鉛、銅、銀などの金属である。本実施例において、吸着フィルター層２３には、吸着物質として銅置換体のプルシアンブルーを担持させた不織布を用いた。なお、プルシアンブルー型錯体化合物は、ナノ粒子などの粒径が小さく大きな比表面積を有する形状とされることが好ましい。
【００２６】
また、吸着フィルター層２３は、第３室１３によって除去フィルター層２２と隔てられており、除去フィルター層２２に付着させた懸濁物質による影響を受けずに放射性セシウムを吸着できる。さらに、第３室１３は、浸出水で満たされずに、常に空間を有するように設計される。また、吸着フィルター層２３は、第４室１４によって排出口１５の外部の土壌等と隔てられている。第４室１４は、浸出水の落下に伴う跳ね返りによる吸着フィルター層２３の土壌汚染を防ぐようにその大きさを設計される。
【００２７】
上記した、カラム１０は、図２（ａ）又は（ｂ）に示すように、リターの浸出水又は土壌の浸出水から放射性セシウムを検出するべく、第１室１１に充填する土壌等を周囲に合わせるように埋められ設置される。所定時間の経過後、これを回収して吸着フィルター層２３を検査することで吸着された放射性セシウムを検出することができる。例えば、回収した吸着フィルター層２３の放射能を測定することで放射性セシウムを検出できる。
【００２８】
以上の実施例によれば、特に、従来法において必要だった頻繁な水回収を不要とし、カラム１０の設置も例えば約５分程度の作業で完了する簡単なものとでき、吸着フィルター層２３によって測定現場におけるカラム１０内での放射性セシウムの濃縮を可能とした。これにより、試料の回収を例えば数ヶ月〜１年に１回とするなど、その頻度を低減させ得る。また吸着フィルター層２３に吸着されて濃縮された放射性セシウムを清浄状態で検出できるため、その検査の前処理を例えば３０分程度でできる簡便なものとし得て、検出レベルも従来の方法に比べて数十倍と高くできる。つまり、ライシメータを用いて土壌等からの浸出水に含まれる溶存態放射性セシウムを簡便に動態モニタリングできるのである。
【００２９】
ところで、吸着フィルター層２３は、放射性セシウムをなるべく逃さないで吸着できるようにするため、例えば、銅置換体のプルシアンブルーを担持させた不織布（Ｃｕ−ＮＦ）を複数枚重ねて使用することが好ましい。ここでは、Ｃｕ−ＦＮを７枚重ねて上記したカラム１０に用いて野外試験を行い、放射性セシウム（Ｃｓ）の吸着率を調査したので、その結果について説明する。
【００３０】
図３に示すように、土壌等からの浸出水中９５％以上の放射性セシウムが１〜３枚目のＣｕ−ＦＮに吸着された。すなわち、このＣｕ−ＦＮであれば、３枚以上重ねて用いることが好適であることが判る。
【００３１】
なお、吸着フィルター層２３を通過する水量を計測することで、これに吸着されて濃縮された放射性セシウムに関するより詳細な情報を得ることができ得る。例えば、吸着フィルター層２３の上部及び／又は下部に雨量計を配置するだけでよい。
【００３２】
以上、本発明による代表的な実施例を説明したが、本発明は必ずしもこれに限定されるものではなく、当業者であれば、本発明の主旨又は添付した特許請求の範囲を逸脱することなく、様々な代替実施例及び改変例を見出すことができるであろう。
【符号の説明】
【００３３】
１０  カラム
１５  排出口
２１  透水板
２２  除去フィルター層
２３  吸着フィルター層
【図１】
2017173316.tif 000003
【図２】
2017173316.tif 000004
【図３】
2017173316.tif 000005